(57)【特許請求の範囲】
【請求項１】
ケース上面の開口孔に上下動可能に装着された静電タッチパネルと、この静電タッチパネル下面に設けられた配線基板に配設され、この静電タッチパネルの押圧操作により動作するスイッチ接点と、上記静電タッチパネルとスイッチ接点の操作に応じて送信手段からリモコン信号を送信する制御手段からなり、上記静電タッチパネルの下方に上記スイッチ接点を覆うカバーシートを設けると共に、このカバーシートに下方に薄肉部が形成され、上方へ突出する略ドーム状の複数の押圧部を形成し、この押圧部上面を上記静電タッチパネル下面に当接させたリモコン送信機。
【請求項２】
静電タッチパネルと配線基板との電気的接続部が、カバーシートの壁筒部で覆われ、この壁筒部上端は静電タッチパネル下面に弾接すると共に、上記静電タッチパネルの押圧操作時には、弾接した壁筒部上端が弾性変形する請求項１記載のリモコン送信機。
【発明の詳細な説明】
【技術分野】
【０００１】
本発明は、主に各種電子機器の遠隔操作に用いられるリモコン送信機に関するものである。
【背景技術】
【０００２】
近年、テレビやビデオ、エアコン等の各種電子機器の高機能化が進むなか、これらを遠隔操作するリモコン送信機においても、多様で確実な操作を行えるものが求められている。
【０００３】
このような従来のリモコン送信機について、図４〜図６を用いて説明する。
【０００４】
図５は従来のリモコン送信機の断面図であり、同図において、１は略箱状で絶縁樹脂製のケース、２は静電タッチパネルで、ケース１上面の開口孔に静電タッチパネル２が装着されている。
【０００５】
そして、この静電タッチパネル２は、フィルム状のシートの上面または上下面に略帯状の複数の導電部（図示せず）が、所定の間隙を空けて直交方向に配列されて形成されている。
【０００６】
また、３は絶縁樹脂製の上覆体、４は同じく下覆体で、この上覆体３と下覆体４の間に静電タッチパネル２が収納されると共に、静電タッチパネル２の複数の導電部の端部に接続された電極部（図示せず）が形成されたテール部２Ａが、下覆体４の下面から右外方へ延出している。
【０００７】
さらに、５は上下面に複数の配線パターン（図示せず）が形成された配線基板で、この上面にはプッシュスイッチ等のスイッチ接点６が実装され、スイッチ接点６上面から突出した押釦６Ａに下覆体４の下面が当接すると共に、静電タッチパネル２がテール部２Ａやコネクタ（図示せず）等を介して、配線基板５の配線パターンに電気的に接続されている。
【０００８】
そして、７は下方に略リング状の薄肉部が形成されたゴム等の操作体で、上面が上ケース１上面の貫通孔から上下動可能に突出すると共に、下面には配線基板５上面に形成された複数の固定接点５Ａと、所定の間隙を空けて対向する可動接点７Ａが設けられている。
【０００９】
また、配線基板５の上下面には、発光ダイオード等のリモコン信号を送信する送信手段８や、配線パターンを介して送信手段８や静電タッチパネル２、スイッチ接点６、複数の固定接点５Ａに接続されたマイコン等の制御手段９が形成されると共に、ケース１下面を絶縁樹脂製のカバー１０が覆って、リモコン送信機が構成されている。
【００１０】
以上の構成において、リモコン送信機を操作する電子機器に向けて、指で所定の操作体７の上面を押圧操作すると、略リング状の薄肉部が弾性変形して操作体７が下方へ移動し、この下面の可動接点７Ａが複数の固定接点５Ａに接触して、可動接点７Ａを介して複数の固定接点５Ａの電気的接離が行われ、この電気的接離に応じて制御手段９が、送信手段８から赤外線のリモコン信号を電子機器へ送信し、例えば、テレビの電源の入／切や音量の増減等が遠隔操作によって行われる。
【００１１】
また、図４の正面図に示すように、遠隔操作する電子機器３０の表示画面３１に、例えば番組表やメニュー等が表示された状態で、上覆体３上面に指を触れ、指をなぞるように前後左右に移動して接触操作すると、この指に静電タッチパネル２の電荷の一部が導電し、操作した箇所の導電部の容量が変化するため、これによって静電タッチパネル２のどの箇所が接触操作されたかを制御手段９が検出する。
【００１２】
そして、この指の移動に応じたリモコン信号を、制御手段９が送信手段８から機器へ送信し、例えば、表示画面３１に表示されたカーソル３２やポインタ３３等が、指の移動した上下方向や左右方向へ移動して、番組表やメニュー等の選択が行われる。
【００１３】
さらに、カーソル３２やポインタ３３等が所望の番組やメニュー上に位置した状態で、図６の断面図に示すように、上覆体３上面を押圧操作すると、静電タッチパネル２や下覆体４が下方へ移動し、下覆体４の下面がスイッチ接点６の押釦６Ａを押圧操作して、スイッチ接点６の電気的接離が行われ、これを制御手段９が検出して送信手段８からリモコン信号を送信し、例えば、番組の予約や次のメニューの表示等が行われる。
【００１４】
なお、上覆体３への押圧力を解除すると、スイッチ接点６の弾性復帰力によって押釦６Ａが上方へ戻り、これに押圧されて下覆体４や静電タッチパネル２、上覆体３も上方へ移動して、図５に示した状態に復帰する。
【００１５】
つまり、複数の操作体７の押圧操作によって、電源や音量といった機器の各機能の遠隔操作を行うと共に、静電タッチパネル２の接触操作によって、番組表等の表示画面３１に表示されたメニューの選択を行い、さらに静電タッチパネル２の押圧操作によって、メニューの確定や次メニューの表示等を、遠隔操作によって行うことができるように構成されているものであった。
【００１６】
なお、この出願の発明に関連する先行技術文献情報としては、例えば、特許文献１が知られている。
【特許文献１】特表２００７−５０３０５２号公報
【発明の開示】
【発明が解決しようとする課題】
【００１７】
しかしながら、上記従来のリモコン送信機においては、静電タッチパネル２やケース１上面に水滴や油分、塵埃等が付着した際、特に静電タッチパネル２を押圧操作し、ケース１と静電タッチパネル２の間に隙間ができた場合に、これらがリモコン送信機に侵入し易く、また、押圧操作時の静電タッチパネル２の上下動を、スイッチ接点６の押圧や復帰によってのみ行っているため、特に静電タッチパネル２の形状が大きなものとなった場合、良好な操作感触が得づらいという課題があった。
【００１８】
本発明は、このような従来の課題を解決するものであり、防水性や防塵性を高めると共に、良好な操作感触が得られるリモコン送信機を提供することを目的とする。
【課題を解決するための手段】
【００１９】
上記目的を達成するために本発明は、以下の構成を有するものである。
【００２０】
本発明の請求項１に記載の発明は、ケース上面の開口孔に上下動可能に装着された静電タッチパネルと、この静電タッチパネル下面に設けられた配線基板に配設され、この静電タッチパネルの押圧操作により動作するスイッチ接点と、上記静電タッチパネルとスイッチ接点の操作に応じて送信手段からリモコン信号を送信する制御手段からなり、上記静電タッチパネルの下方に上記スイッチ接点を覆うカバーシートを設けると共に、このカバーシートに下方に薄肉部が形成され、上方へ突出する略ドーム状の複数の押圧部を形成し、この押圧部上面を上記静電タッチパネル下面に当接させたリモコン送信機を構成したものであり、カバーシートによってスイッチ接点等への水滴や油分、塵埃等の付着を防ぎ、防水性や防塵性を高めると共に、下方の略ドーム状の複数の押圧部の弾性変形によって、静電タッチパネルの押圧操作時に節度感のある操作感触が得られるため、良好な感触での操作が可能なリモコン送信機を得ることができるという作用を有する。
【００２１】
請求項２に記載の発明は、請求項１記載の発明において、静電タッチパネルと配線基板との電気的接続部が、カバーシートの壁筒部で覆われ、この壁筒部上端は静電タッチパネル下面に弾接すると共に、上記静電タッチパネルの押圧操作時には、弾接した壁筒部上端が弾性変形するものであり、静電タッチパネルのテール部１２Ａやコネクタ１６への水滴や油分、塵埃等の付着も防止できるという作用を有する。
【発明の効果】
【００２２】
以上のように本発明によれば、防水性や防塵性を高め、良好な感触での操作が可能なリモコン送信機を実現できるという有利な効果が得られる。
【発明を実施するための最良の形態】
【００２３】
以下、本発明の実施の形態について、図１〜図４を用いて説明する。
【００２４】
なお、これらの図面のうち断面図は、構成を判り易くするために厚さ方向の寸法を拡大して表している。
【００２５】
また、背景技術の項で説明した構成と同一構成の部分には同一符号を付して、詳細な説明を簡略化する。
【００２６】
（実施の形態）
図１は本発明の一実施の形態によるリモコン送信機の断面図、図２は同分解斜視図であり、同図において、１１は略箱状でポリスチレンやＡＢＳ等の絶縁樹脂製のケース、１２は静電タッチパネルで、ケース１１上面の開口孔に静電タッチパネル１２が装着されている。
【００２７】
そして、この静電タッチパネル１２は、フィルム状のシートの上面または上下面に、略帯状または略方形の複数の導電部（図示せず）が、所定の間隙を空けて直交方向に配列されて形成されている。
【００２８】
また、１３は絶縁樹脂製の上覆体、１４は同じく下覆体で、この上覆体１３と下覆体１４の間に静電タッチパネル１２が収納されると共に、静電タッチパネル１２の複数の導電部の端部に接続された電極部（図示せず）が形成されたテール部１２Ａが、下覆体１４の下面から右外方へ延出している。
【００２９】
さらに、５は紙フェノールやガラス入りエポキシ等の配線基板で、上下面には銅箔等によって複数の配線パターン（図示せず）が形成されると共に、この上面にはプッシュスイッチ等のスイッチ接点６が実装され、スイッチ接点６上面から突出した押釦６Ａに下覆体１４下面の突出部１４Ａが当接している。
【００３０】
また、１５はゴムやエラストマー等のカバーシートで、静電タッチパネル１２下方の配線基板５上面に載置され、配線基板５上面やスイッチ接点６を覆うと共に、ケース１１下面から突出した複数のリブ部１１Ａが、カバーシート１５上面の端部に弾接している。
【００３１】
そして、このカバーシート１５には下方に薄肉部が形成され、上方へ突出する略ドーム状の複数の押圧部１５Ａが設けられ、この押圧部１５Ａ上面が下覆体１４下面に当接すると共に、同じく上方へ突出する略円柱状の複数の係止部１５Ｂが設けられ、この係止部１５Ｂ上面と下覆体１４下面の間には、静電タッチパネル１２が上下動する寸法よりもやや大きな間隙が空けられている。
【００３２】
さらに、カバーシート１５の端部には略角筒状の壁筒部１５Ｃが形成され、この壁筒部１５Ｃが、配線基板５に実装され静電タッチパネル１２のテール部１２Ａが接続されたコネクタ１６を覆うと共に、壁筒部１５Ｃ上端は下覆体１４下面に弾接している。
【００３３】
そして、７は下方に略リング状の薄肉部が形成されたゴムやエラストマー等の操作体で、上面が上ケース１１上面の貫通孔から上下動可能に突出すると共に、下面には配線基板５上面に形成された複数の固定接点５Ａと、所定の間隙を空けて対向する可動接点７Ａが設けられている。
【００３４】
また、配線基板５の上下面には、発光ダイオード等のリモコン信号を送信する送信手段８や、配線パターンを介して送信手段８や静電タッチパネル１２、スイッチ接点６、複数の固定接点５Ａに接続されたマイコン等の制御手段９が形成されると共に、ケース１１下面を絶縁樹脂製のカバー１０が覆って、リモコン送信機が構成されている。
【００３５】
以上の構成において、リモコン送信機を操作する電子機器に向けて、指で所定の操作体７の上面を押圧操作すると、略リング状の薄肉部が弾性変形して操作体７が下方へ移動し、この下面の可動接点７Ａが複数の固定接点５Ａに接触して、可動接点７Ａを介して複数の固定接点５Ａの電気的接離が行われ、この電気的接離に応じて制御手段９が、送信手段８から赤外線のリモコン信号を電子機器へ送信し、例えば、テレビの電源の入／切や音量の増減等が遠隔操作によって行われる。
【００３６】
また、図４の正面図に示すように、遠隔操作する電子機器３０の表示画面３１に、例えば番組表やメニュー等が表示された状態で、上覆体１３上面に指を触れ、指をなぞるように前後左右に移動して接触操作すると、この指に静電タッチパネル１２の電荷の一部が導電し、操作した箇所の導電部の容量が変化するため、これによって静電タッチパネル１２のどの箇所が接触操作されたかを制御手段９が検出する。
【００３７】
そして、この指の移動に応じたリモコン信号を、制御手段９が送信手段８から機器へ送信し、例えば、表示画面３１に表示されたカーソル３２やポインタ３３等が、指の移動した上下方向や左右方向へ移動して、番組表やメニュー等の選択が行われる。
【００３８】
さらに、カーソル３２やポインタ３３等が所望の番組やメニュー上に位置した状態で、図３の断面図に示すように、上覆体１３上面を押圧操作すると、下覆体１４下面に押圧されたカバーシート１５の略ドーム状の複数の押圧部１５Ａが、下方の薄肉部を弾性変形させ節度感を伴って下方へ弾性反転すると共に、静電タッチパネル１２や下覆体１４が下方へ移動する。
【００３９】
また、この時、静電タッチパネル１２のテール部１２Ａやコネクタ１６を覆った壁筒部１５Ｃも、弾接した上端を下覆体１４下面に押圧されて、外方へ膨らんで弾性変形する。
【００４０】
そして、下覆体１４下面の突出部１４Ａが、カバーシート１５の薄肉部を介してスイッチ接点６の押釦６Ａを押圧操作して、スイッチ接点６の電気的接離が行われ、これを制御手段９が検出して送信手段８からリモコン信号を機器へ送信し、例えば、番組の予約や次のメニューの表示等が行われる。
【００４１】
つまり、複数の操作体７の押圧操作によって、電源や音量といった機器の各機能の遠隔操作を行うと共に、静電タッチパネル１２の接触操作によって、番組表等の表示画面３１に表示されたメニューの選択を行い、さらに静電タッチパネル１２の押圧操作によって、メニューの確定や次メニューの表示等を、遠隔操作によって行うことができるように構成されている。
【００４２】
また、以上のような静電タッチパネル１２の押圧操作の際、上述したように、静電タッチパネル１２下方のカバーシート１５には、上方へ突出する略ドーム状の複数の押圧部１５Ａが形成されているため、静電タッチパネル１２を適度な押圧力で、節度感のある良好な操作感触で押圧操作することができるようになっている。
【００４３】
すなわち、静電タッチパネル１２の押圧操作時に、複数の押圧部１５Ａが同時に下覆体１４下面に押圧され、節度感を伴って下方へ弾性反転することによって、押圧操作する力が、スイッチ接点６の押圧力に複数の押圧部１５Ａの押圧力が加算された適度な押圧力となると共に、節度感のある良好な操作感触が得られるように構成されている。
【００４４】
そして、静電タッチパネル１２の下方にカバーシート１５を設け、このカバーシート１５で配線基板５上面やスイッチ接点６を覆うと共に、ケース１１下面の複数のリブ部１１Ａをカバーシート１５上面の端部に弾接させることによって、防水性や防塵性を高めた構成となっている。
【００４５】
つまり、静電タッチパネル１２やケース１１上面に水滴や油分、塵埃等が付着した際、特に静電タッチパネル１２を押圧操作し、ケース１１と静電タッチパネル１２の間に隙間ができた場合にも、カバーシート１５によって、これらが配線基板５やスイッチ接点６等へ付着することを防ぎ、電気的不具合が生じないようになっている。
【００４６】
また、静電タッチパネル１２のテール部１２Ａやコネクタ１６が、カバーシート１５の壁筒部１５Ｃに覆われると共に、静電タッチパネル１２の押圧操作時には、弾接した壁筒部１５Ｃ上端が下覆体１４下面に押圧されて弾性変形することによって、テール部１２Ａやコネクタ１６への水滴や油分、塵埃等の付着も防止できる構成となっている。
【００４７】
さらに、カバーシート１５に上方へ突出する略円柱状の複数の係止部１５Ｂを設けることによって、静電タッチパネル１２に上方からの衝撃や大きな操作力が加わり、静電タッチパネル１２がさらに押圧された場合には、下覆体１４下面がこれらの係止部１５Ｂに弾接すると共に、係止部１５Ｂが弾性変形して衝撃力を緩和し、スイッチ接点６等の破損を防ぐことができるようになっている。
【００４８】
このように本実施の形態によれば、ケース１１上面に装着された静電タッチパネル１２の下方に、スイッチ接点６を覆うカバーシート１５を設けると共に、このカバーシート１５に上方へ突出する略ドーム状の複数の押圧部１５Ａを形成することによって、スイッチ接点６等への水滴や油分、塵埃等の付着を防ぎ、防水性や防塵性を高めると共に、押圧操作時に下方の略ドーム状の複数の押圧部１５Ａが弾性変形することで、静電タッチパネル１２の節度感のある操作感触が得られるため、良好な感触での操作が可能なリモコン送信機を得ることができるものである。
【００４９】
なお、以上の説明では、配線基板５上面にプッシュスイッチを実装してスイッチ接点６を形成した構成について説明したが、配線基板５上面に複数の固定接点を設け、この固定接点上に略ドーム状で導電金属薄板製の可動接点を載置した構成や、あるいは、この固定接点上にフィルム状のシート下面の可動接点を対向させたもの等、様々なスイッチ接点を用いた構成においても、本発明の実施は可能である。
【産業上の利用可能性】
【００５０】
本発明によるリモコン送信機は、防水性や防塵性を高め、良好な感触での操作が可能なものが得られ、主に各種電子機器の操作用として有用である。
【図面の簡単な説明】
【００５１】
【図１】本発明の一実施の形態によるリモコン送信機の断面図
【図２】同分解斜視図
【図３】同押圧操作時の断面図
【図４】電子機器の正面図
【図５】従来のリモコン送信機の断面図
【図６】同押圧操作時の断面図
【符号の説明】
【００５２】
５  配線基板
５Ａ  固定接点
６  スイッチ接点
６Ａ  押釦
７  操作体
７Ａ  可動接点
８  送信手段
９  制御手段
１０  カバー
１１  ケース
１１Ａ  リブ部
１２  静電タッチパネル
１２Ａ  テール部
１３  上覆体
１４  下覆体
１４Ａ  突出部
１５  カバーシート
１５Ａ  押圧部
１５Ｂ  係止部
１５Ｃ  壁筒部
１６  コネクタ
３０  電子機器
３１  表示画面
３２  カーソル
３３  ポインタ
【図１】
0005169289.tif 000002
【図２】
0005169289.tif 000003
【図３】
0005169289.tif 000004
【図４】
0005169289.tif 000005
【図５】
0005169289.tif 000006
【図６】
0005169289.tif 000007